【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】  符号化信号を復号化する画像復号化方法であって、
前記符号化信号からピクチャ番号を取得し、
前記符号化信号から、メモリ内に格納されているピクチャを全て不使用化する指示を含む第１の情報を抽出し、
前記符号化信号を復号化して、復号化されたピクチャを取得し、
復号化された前記ピクチャを前記メモリに格納し、
前記第１の情報が前記符号化信号から抽出された後、前記第１の情報の抽出以前に前記メモリに格納されていたピクチャを全て不使用にし、
前記符号化信号を復号化した後に、取得された前記ピクチャ番号を初期化し、前記第１の情報が前記符号化信号から抽出された後に、新たなピクチャ番号を復号化された前記ピクチャに付与する
ことを特徴とする復号化方法。
【請求項２】  前記符号化信号の前記復号化が完了した後に、前記不使用化を実行する
ことを特徴とする請求項１に記載の復号化方法。
【請求項３】  前記メモリに格納されるピクチャは参照ピクチャであり、全てのピクチャの前記不使用化において全て不使用化されるピクチャも参照ピクチャである
ことを特徴とする請求項１に記載の復号化方法。
【請求項４】  前記メモリに格納されていた全てのピクチャの前記不使用化は、前記メモリに格納されている全ての復号化ピクチャに対して不使用を示す情報を設定することにより実行される
ことを特徴とする請求項１に記載の復号化方法。
【請求項５】  前記第１の情報は、前記符号化信号に含まれている
ことを特徴とする請求項１に記載の復号化方法。
【請求項６】  前記第１の情報は、IDR（Instantaneous Decoder Refresh）ピクチャであることを示す情報である
ことを特徴とする請求項１に記載の復号化方法。
【請求項７】  前記IDRピクチャは画面内予測符号化ピクチャである
ことを特徴とする請求項6に記載の復号化方法。
【請求項８】  前記第１の情報は、画面内予測符号化ピクチャであることを示すピクチャタイプ情報である
ことを特徴とする請求項1に記載の復号化方法。
【請求項９】  前記第１の情報を含む画面内予測符号化ピクチャは、ランダム・アクセス復号化の復号化開始位置として復号化される
ことを特徴とする請求項１記載の復号化方法。
【請求項１０】  符号化信号を復号化する復号化装置であって、
符号化信号からピクチャ番号を取得するピクチャ番号取得手段と、
前記ピクチャ番号取得手段によって取得される前記符号化信号から、メモリに格納されているピクチャを全て不使用化する指示を含む第１の情報を抽出する抽出手段と、
前記符号化信号を復号化して、復号化されたピクチャを得るピクチャ復号化手段と、
復号化された前記ピクチャを前記メモリに格納する格納手段と、
前記第１の情報が前記符号化信号から抽出された後、前記抽出手段が前記第１の情報を抽出する以前に前記メモリに格納されていたピクチャを全て不使用にする不使用化手段と、
前記ピクチャ復号化手段が前記符号化信号を復号化した後に、取得された前記ピクチャ番号を初期化し、前記第１の情報が前記符号化信号から抽出された後に、新たなピクチャ番号を復号化された前記ピクチャに付与する付与手段
を有することを特徴とする復号化装置。
【請求項１１】  前記不使用化手段は、前記ピクチャ復号化手段が前記符号化信号を復号化した後に、前記メモリに格納されている復号化されたピクチャを全て不使用化する
ことを特徴とする請求項１０に記載の復号化装置。
【請求項１２】  前記格納手段により前記メモリに格納される前記ピクチャは参照ピクチャであり、前記不使用化手段によって不使用化される全てのピクチャもまた参照ピクチャである
ことを特徴とする請求項１０に記載の復号化装置。
【請求項１３】  前記不使用化手段は、前記メモリに格納されている全てのピクチャの不使用化を、前記メモリに格納されている全ての復号化ピクチャに対して不使用を示す情報を設定することにより実行する
ことを特徴とする請求項１０に記載の復号化装置。
【請求項１４】  前記第１の情報は、前記符号化信号に含まれる
ことを特徴とする請求項１０に記載の復号化装置。
【請求項１５】  前記不使用化情報は、IDRピクチャであることを示す情報である
ことを特徴とする請求項１０に記載の復号化装置。
【請求項１６】  前記IDRピクチャは画面内予測符号化ピクチャである
ことを特徴とする請求項１５に記載の復号化装置。
【請求項１７】  前記不使用化情報は、画面内予測符号化ピクチャであることを示すピクチャタイプ情報である
ことを特徴とする請求項１０に記載の復号化装置。
【請求項１８】  前記ピクチャ復号化手段は、前記不使用化情報を含む画面内予測符号化ピクチャをランダム・アクセス復号化における復号化開始位置として復号化する
ことを特徴とする請求項１０記載の復号化装置。
【請求項１９】  動画像を符号化する符号化方法であって、
符号化対象ピクチャのピクチャ番号を符号化し、
前記符号化対象ピクチャの符号化以前にメモリに格納されている全てのピクチャを不使用にすることを示す指示を含む第１の情報を符号化し、
前記符号化対象ピクチャを符号化して符号化ピクチャを出力し、
前記符号化ピクチャを復号化して、復号化されたピクチャを生成し、
前記符号化対象ピクチャの符号化以前に前記メモリに格納されている全ピクチャを不使用にし、
復号化された前記ピクチャをメモリに格納し、
前記符号化対象ピクチャの前記ピクチャ番号を初期化して、新たなピクチャ番号を前記符号化対象ピクチャに後続する符号化対象ピクチャに付与する
ことを特徴とする符号化方法。
【請求項２０】  前記符号化ピクチャを復号化することにより、復号化された前記ピクチャの生成が完了した後に、前記全てのピクチャの不使用化を実行する
ことを特徴とする請求項１９に記載の符号化方法。
【請求項２１】  前記メモリに格納されるピクチャは参照ピクチャであり、前記メモリに格納されている全てのピクチャの前記不使用化において不使用化される全てのピクチャもまた参照ピクチャである
ことを特徴とする請求項１９に記載の符号化方法。
【請求項２２】  前記メモリに格納されていた全てのピクチャの前記不使用化は、前記メモリに格納されている全ての復号化ピクチャに対して不使用化を示す情報を設定することにより実行される
ことを特徴とする請求項１９に記載の符号化方法。
【請求項２３】  前記第１の情報は、IDRピクチャであることを示す情報である
ことを特徴とする請求項１９に記載の符号化方法。
【請求項２４】  前記IDRピクチャは画面内予測符号化ピクチャである
ことを特徴とする請求項２３に記載の符号化方法。
【請求項２５】  前記第１の情報は、画面内予測符号化ピクチャであることを示すピクチャタイプ情報である
ことを特徴とする請求項１９に記載の符号化方法。
【請求項２６】  動画像を符号化する符号化装置であって、
符号化対象ピクチャのピクチャ番号を符号化するピクチャ番号符号化手段と、
前記符号化対象ピクチャの符号化以前にメモリに格納されている全てのピクチャを不使用にすることを示す指示を含む第１の情報を符号化する不使用可情報符号化手段と、
前記符号化対象ピクチャを符号化して符号化ピクチャを出力するピクチャ符号化手段と、
前記符号化ピクチャを復号化して、復号化されたピクチャを生成するピクチャ復号化手段と、
前記符号化対象ピクチャの符号化以前に前記メモリに格納されている全てのピクチャを不使用にする不使用化手段と、
復号化された前記ピクチャを前記メモリに格納する格納手段と、
前記符号化対象ピクチャの前記ピクチャ番号を初期化して、新たなピクチャ番号を前記符号化対象ピクチャに後続する符号化対象ピクチャに付与する付与手段とを
有することを特徴とする符号化装置。
【請求項２７】  前記不使用化手段は、前記ピクチャ復号化手段が前記符号化信号を復号化することによって、復号化された前記ピクチャの生成が完了した後に、前記メモリに格納されているピクチャを全て不使用化する
ことを特徴とする請求項２６に記載の符号化装置。
【請求項２８】  前記格納手段によって前記メモリに格納される前記ピクチャは参照ピクチャであり、前記不使用化手段によって全て不使用化されるピクチャもまた参照ピクチャである
ことを特徴とする請求項２６に記載の符号化装置。
【請求項２９】  前記不使用化手段は、前記メモリに格納されているピクチャに対して全て不使用化することを示す情報を設定することにより、前記メモリに格納されているピクチャを全て不使用化する
ことを特徴とする請求項２６に記載の符号化装置。
【請求項３０】  前記第１の情報は、IDRピクチャであることを示す情報である
ことを特徴とする請求項２６に記載の符号化装置。
【請求項３１】  前記IDRピクチャは画面内予測符号化ピクチャである
ことを特徴とする請求項３０に記載の符号化装置。
【請求項３２】  前記第１の情報は、画面内予測符号化ピクチャであることを示すピクチャタイプ情報である
ことを特徴とする請求項２６に記載の符号化装置。
【請求項３３】  符号化信号を復号化する画像復号化方法であって、
符号化信号からピクチャ番号を取得し、
前記符号化信号から、メモリに格納されている全てのピクチャが不使用とされるべき指示を含んだ第１の情報を抽出し、
前記符号化信号を復号化して、復号化されたピクチャを取得し、
復号化された前記ピクチャを前記メモリに格納し、
前記第１の情報が前記符号化信号から抽出された後、前記第１の情報が抽出される以前に前記メモリに格納されている全てのピクチャが不使用とされるべきものとし、
前記符号化信号の前記復号化の後に、取得されたピクチャ番号を初期化し、前記第１の情報が前記符号化信号から抽出された後、復号化された前記ピクチャに対して新しいピクチャ番号を付与する
ことを特徴とする復号化方法。
【請求項３４】  動画像を符号化する符号化方法であって、
符号化対象ピクチャのピクチャ番号を符号化し、
前記符号化対象ピクチャが符号化される以前にメモリに格納されている全てのピクチャを不使用にすることを示す指示を含んだ前記第１の情報を符号化し、
前記符号化対象ピクチャを符号化することによって符号化ピクチャを出力し、
前記符号化ピクチャを復号化することによって、復号化されたピクチャを生成し、
前記符号化対象ピクチャの符号化以前に前記メモリに格納されている全てのピクチャを不使用とされるべきものにし、
前記復号化されたピクチャをメモリに格納し、
前記符号化対象ピクチャの前記ピクチャ番号を初期化し、新しいピクチャ番号を前記符号化対象ピクチャに後続する符号化対象ピクチャに付与する
ことを特徴とする符号化方法。